(57)【要約】【課題】光ディスクの判別能力を高めて、それぞれの光ディスクに応じた再生動作を行う。【解決手段】ＳＴ３で論理セクタ番号ＬＳＮ１６の読み出しを行い、ＳＴ４で所定の規格識別子が示されていることを判別したときにはＳＴ５に進み、ボリューム認識列における基本ボリューム記述子の読み出しであるとする。ＳＴ６では、基本ボリューム記述子からディレクトリ階層に関する記述が行われたパステーブルの記録位置情報を取得する。ＳＴ９でパステーブルの読み出し要求があったとき、ＳＴ１０でパステーブルの読み出しを行う。読み出した情報に映像や音声のディレクトリ識別子が含まれているときは、ＳＴ１２で映像や音声を記録した形式の光ディスクと判別する。映像や音声のディレクトリ識別子が含まれていないときは、ＳＴ１３で映像や音声を記録した形式でない光ディスクと判別する。この光ディスクの判別結果に基づき光ディスクの再生動作を制御する。【選択図】        図７
2004348903.tif 000002
【特許請求の範囲】
【請求項１】
光ディスクからボリューム認識列におけるボリューム空間に関する記述が行われた第１の情報を読み出して、ディレクトリ階層に関する記述が行われた第２の情報の記録位置情報を取得する工程と、
前記記録位置情報に基づいて、前記第２の情報の読み出す工程と、
前記第２の情報に、所定のディレクトリ識別子が含まれている否かに基づいて光ディスクの判別を行う工程とを有する
ことを特徴とする光ディスク判別方法。
【請求項２】
前記第１の情報は基本ボリューム記述子、前記第２の情報はパステーブル、前記所定のディレクトリ識別子は映像および／または音声のディレクトリ識別子である
ことを特徴とする請求項１記載の光ディスク判別方法。
【請求項３】
前記第１の情報の読み出しは、
前記光ディスクのデータエリアから所定の論理セクタの読み出しを行い、読み出した情報に所定の規格識別子が含まれていたとき、該読み出した情報を前記第１の情報とする
ことを特徴とする請求項１記載の光ディスク判別方法。
【請求項４】
光ディスクからボリューム認識列におけるボリューム空間に関する記述が行われた第１の情報の読み出しを行い、ディレクトリ階層に関する記述が行われた第２の情報の記録位置情報を取得する工程と、
前記記録位置情報に基づいて、前記第２の情報を読み出す工程と、
読み出した前記第２の情報に、所定のディレクトリ識別子が含まれている否かに基づいて光ディスクの判別を行う工程と、
前記光ディスクの判別結果に応じて前記光ディスクの再生動作を制御する工程とを有する
ことを特徴とする光ディスク再生方法。
【請求項５】
前記再生動作を制御する工程では、前記光ディスクからの情報の読み出し速度を、前記判別結果に応じて切り替える
ことを特徴とする請求項４記載の光ディスク再生方法。
【請求項６】
前記再生動作を制御する工程では、前記光ディスクに記録されている情報を読み出すことができないときの応答処理を、前記判別結果に基づいて切り替える
ことを特徴とする請求項４記載の光ディスク再生方法。
【請求項７】
前記再生動作を制御する工程では、前記光ディスクの判別によって、映像および／または音声を記録した形式の光ディスクと判別したとき、消費電力が異なる複数の再生動作を切り替え可能とする
ことを特徴とする請求項４記載の光ディスク再生方法。
【請求項８】
前記複数の再生動作は、前記光ディスクの回転駆動方式が異なる再生動作である
ことを特徴とする請求項７記載の光ディスク再生方法。
【請求項９】
光ディスクに記録されている情報の読み出しを行う読み出し手段と、
前記読み出し手段を制御して、前記光ディスクからボリューム認識列におけるボリューム空間に関する記述が行われた第１の情報の読み出しを行い、ディレクトリ階層に関する記述が行われた第２の情報の記録位置情報を取得するものとし、該記録位置情報に基づいて読み出した前記第２の情報に、所定のディレクトリ識別子が含まれている否かに基づいて前記光ディスクの判別を行い、判別結果に応じた動作制御を行う制御手段とを有する
ことを特徴とする光ディスク装置。
【請求項１０】
前記第１の情報は基本ボリューム記述子、前記第２の情報はパステーブル、前記所定のディレクトリ識別子は映像および／または音声のディレクトリ識別子である
ことを特徴とする請求項９記載の光ディスク装置。
【請求項１１】
前記制御手段では、前記光ディスクからの情報の読み出し速度を、前記判別結果に基づいて切り替える
ことを特徴とする請求項９記載の光ディスク装置。
【請求項１２】
前記制御手段では、前記光ディスクに記録されている情報を読み出すことができないときの応答処理を、前記判別結果に基づいて切り替える
ことを特徴とする請求項９記載の光ディスク装置。
【請求項１３】
前記制御手段では、前記光ディスクの判別によって、映像および／または音声を記録した形式の光ディスクと判別したとき、消費電力が異なる複数の再生動作を切り替え可能とする
ことを特徴とする請求項９記載の光ディスク装置。
【請求項１４】
前記複数の再生動作は、前記光ディスクの回転駆動方式が異なる再生動作である
ことを特徴とする請求項１３記載の光ディスク装置。
【発明の詳細な説明】
【０００１】
【発明の属する技術分野】
この発明は、光ディスク判別方法と光ディスク再生方法および光ディスク装置に関する。詳しくは、光ディスクからボリューム認識列におけるボリューム空間に関する記述が行われた第１の情報の読み出しを行い、ディレクトリ階層に関する記述が行われた第２の情報の記録位置情報を取得し、この記録位置情報に基づいて読み出した第２の情報に、所定のディレクトリ識別子が含まれている否かに基づいて光ディスクの判別を行い、判別結果に応じて光ディスクの再生動作を制御するものである。
【０００２】
【従来の技術】
近年、光ディスクに関する技術の進歩に伴い、ディスクの物理的仕様が等しく、記録されている信号のコンテンツが異なるものが提供されている。例えばコンパクトディスクでは、音楽データを記録したＣＤ−ＤＡだけでなく、コンピュータ・データ等を記録したＣＤ−ＲＯＭ、および映像（動画）や音声等を記録したビデオＣＤ（Ｃｏｍｐａｃｔ  Ｄｉｓｃ）など種々のタイプの光ディスクが提供されている。さらに、コンパクトディスクよりも記録密度を高めて記録容量を大容量化したＤＶＤ（Ｄｉｇｉｔａｌ  Ｖｅｒｓａｔｉｌｅ  Ｄｉｓｃ）と呼ばれる光ディスクでは、コンピュータ・データを記録したＤＶＤ−ＲＯＭ、映画等の映像や音声を記録したＤＶＤ−Ｖｉｄｅｏ等が提供されている。このため、光ディスク装置は、タイプの異なる複数の光ディスクを再生できるようになされている。
【０００３】
ここで、記録されている信号が例えばコンピュータ・データであるときには、記録されているデータをできるかぎり高速かつ正しく読み出せることが望ましい。また、記録されている信号が映像や音声のデータであるときには、映像や音声が途切れてしまうことがないようにデータを読み出せれば良いことから、データ読出の高速化よりもデータ読出の静音化が望ましい。このため、どのような信号が記録されている光ディスクであるかを特許文献１に示すような方法で判別して、判別結果に応じて光ディスクの再生動作を制御することが行われている。
【０００４】
【特許文献１】
国際公開ＷＯ０１／５４１２３Ａ１号パンフレット
【０００５】
【発明が解決しようとする課題】
ところで、特許文献１の方法は、光ディスク上の予め決められた位置、例えばＬＳＮ（Ｌｏｇｉｃａｌ  Ｓｅｃｔｏｒ  Ｎｕｍｂｅｒ）「２５７」のデータ読出を行い、映像データが記録されていることを判別可能とする文字列が「Ｐａｔｈ  Ｔａｂｌｅ」に含まれているか否かによって、コンピュータ・データを記録したディスクであるか映像や音声を記録したディスクであるかの判別を行うものである。
【０００６】
一方、書き込みや書き換えが可能な光ディスクの普及に伴い、光ディスクのユーザがオーサリングソフトウェアを用いて映像や音声のデータ編集を行い、編集後のデータを光ディスクに記録することが行われている。このようにユーザがオーサリングソフトウェアを用いてデータの書き込みを行った場合、ソフトウェアによっては、「Ｐａｔｈ  Ｔａｂｌｅ」のデータがＬＳＮ「２５７」とは異なる位置に記録されてしまうことがある。このような場合、上述のように予め決められた位置からデータの読み出しを行っても、「Ｐａｔｈ  Ｔａｂｌｅ」のデータを得ることはできない。
【０００７】
そこで、この発明では、光ディスクの判別能力を高めて、それぞれの光ディスクに応じた再生動作を行うことができる光ディスク判別方法と光ディスク再生方法および光ディスク装置を提供するものである。
【０００８】
【課題を解決するための手段】
この発明に係る光ディスク判別方法は、光ディスクからボリューム認識列におけるボリューム空間に関する記述が行われた第１の情報を読み出して、ディレクトリ階層に関する記述が行われた第２の情報の記録位置情報を取得する工程と、前記記録位置情報に基づいて、前記第２の情報の読み出す工程と、前記第２の情報に、所定のディレクトリ識別子が含まれている否かに基づいて光ディスクの判別を行う工程とを有するものである。
【０００９】
また、この発明に係る光ディスク再生方法は、光ディスクからボリューム認識列におけるボリューム空間に関する記述が行われた第１の情報の読み出しを行い、ディレクトリ階層に関する記述が行われた第２の情報の記録位置情報を取得する工程と、前記記録位置情報に基づいて、前記第２の情報を読み出す工程と、読み出した前記第２の情報に、所定のディレクトリ識別子が含まれている否かに基づいて光ディスクの判別を行う工程と、前記光ディスクの判別結果に応じて前記光ディスクの再生動作を制御する工程とを有するものである。
【００１０】
また、この発明に係る光ディスク再生装置は、光ディスクに記録されている情報の読み出しを行う読み出し手段と、前記読み出し手段を制御して、前記光ディスクからボリューム認識列におけるボリューム空間に関する記述が行われた第１の情報の読み出しを行い、ディレクトリ階層に関する記述が行われた第２の情報の記録位置情報を取得するものとし、該記録位置情報に基づいて読み出した前記第２の情報に、所定のディレクトリ識別子が含まれている否かに基づいて前記光ディスクの判別を行い、判別結果に応じた動作制御を行う制御手段とを有するものである。
【００１１】
この発明においては、光ディスクからボリューム認識列におけるボリューム空間に関する記述が行われた第１の情報（例えば基本ボリューム記述子）の読み出しが行われて、ディレクトリ階層に関する記述が行われた第２の情報（例えばパステーブル）の記録位置情報が取得される。この記録位置情報に基づいて、読み出した前記第２の情報に、所定のディレクトリ識別子（例えば映像および／または音声のディレクトリ識別子）が含まれている否かに基づいて光ディスクの判別が行われる。さらに、光ディスクの判別結果に応じて、光ディスクからの情報の読み出し速度や、光ディスクに記録されている情報を読み出すことができないときの応答処理が切り替えられる。また、映像および／または音声を記録した形式の光ディスクと判別されたときには、消費電力が異なる再生動作、例えば光ディスクの回転駆動方式が切り替え可能とされる。
【００１２】
【発明の実施の形態】
以下、図を参照しながら、この発明の実施の一形態について説明する。図１は、光ディスク装置２０の構成を示している。光ディスク１０は、読み出し手段を構成するスピンドルモータ駆動部２１によって駆動されるスピンドルモータ２２によって所定の回転速度に制御される。なお、読み出し手段は、スピンドルモータ駆動部２１やスピンドルモータ２２、および後述する光ピックアップ３０やＲＦアンプ３１、信号処理部３２、サーボ処理部３３、ドライバ３８、送り駆動部３９や送りモータ４０で構成される。
【００１３】
光ディスク１０には、光ディスク装置２０の光ピックアップ３０から光量をコントロールした光ビームが光ディスク１０で合焦するように照射される。光ディスク１０で反射された光ビームは、光ピックアップ３０の光検出部（図示せず）に照射される。光検出部では反射された光ビームに基づき光電変換や電流電圧変換を行い、反射された光ビームの光量に応じた信号レベルの電圧信号を生成してＲＦアンプ３１に供給する。
【００１４】
ＲＦアンプ３１では、光ピックアップからの電圧信号を用いて読出信号ＳＲＦやトラッキング誤差信号ＳＴＥ、フォーカス誤差信号ＳＦＥを生成する。また、生成した読出信号ＳＲＦを信号処理部３２に供給するとともに、トラッキング誤差信号ＳＴＥとフォーカス誤差信号ＳＦＥをサーボ処理部３３に供給する。
【００１５】
信号処理部３２では、読出信号ＳＲＦに対するＥＦＭ（Ｅｉｇｈｔ  ｔｏ  Ｆｏｕｒｔｅｅｎ  Ｍｏｄｕｌａｔｉｏｎ）復調並びにエラー訂正を行い、得られた情報の中から光ビームの照射されたアドレス位置等を判別するための情報ＡＲを抜き出して制御手段である制御部５０に供給する。例えば、光ディスクのタイプに応じて記録されているＡＴＩＰ（Ａｂｓｏｌｕｔｅ  Ｔｉｍｅ  Ｉｎ  Ｐｒｅ−Ｇｒｏｏｖｅ）の情報や、ランドの領域に配置したピットで示されたＬＰＰ（Ｌａｎｄ  Ｐｒｅ−Ｐｉｔ）の情報、ウォブルにアドレス情報を重畳したＡＤＩＰ（Ａｄｄｒｅｓｓ  Ｉｎ  Ｐｒｅ−ｇｒｏｏｖｅ）の情報等を抜き出して制御部５０に供給する。
【００１６】
また、信号処理部３２には例えばＤＲＡＭ（Ｄｙｎａｍｉｃ  Ｒａｎｄｏｍ  Ａｃｃｅｓｓ  Ｍｅｍｏｒｙ）等のメモリ部３４が接続されており、このメモリ部３４を使用してＥＦＭ復調やエラー訂正を行う。また、メモリ部３４は、ホストインタフェース３５から出力する再生データＲＤや、ホストインタフェース３５に供給された記録データＷＤのキャッシュとしても用いることができる。
【００１７】
ホストインタフェース３５から供給された記録データＷＤは、信号変調部３６に供給される。信号変調部３６は、供給された記録データＷＤのＥＦＭ変調を行い変調信号ＭＷを生成し、この変調信号ＭＷを光ビーム変調部３７に供給する。光ビーム変調部３７は、変調信号ＭＷに基づいて光ピックアップ３０の半導体レーザ（図示せず）を駆動して、光ピックアップ３０から出力される光ビームの出力を変調信号ＭＷに基づいて制御することにより、光ディスク１０に記録データを記録する。
【００１８】
サーボ処理部３３は、供給されたフォーカス誤差信号ＳＦＥに基づき、レーザ光の合焦位置が光ディスク１０の記録層となるように光ピックアップ３０の対物レンズ（図示せず）を制御するフォーカス制御信号ＳＦＣを生成して、ドライバ３８に供給する。また、供給されたトラッキング誤差信号ＳＴＥに基づき、光ビームの照射位置が所望のトラックの中央位置となるように光ピックアップ３０の対物レンズを制御するトラッキング制御信号ＳＴＣを生成して、ドライバ３８に供給する。さらに、サーボ処理部３３は、レーザ光の照射位置がトラッキング制御範囲を超えないように、光ピックアップ３０を光ディスク１０の径方向に移動させるための送り制御信号ＳＳＣを生成して送り駆動部３９に供給する。また、サーボ処理部３３は、信号処理部３２から出力される同期信号ＤＳＹに基づいて光ディスク１０の回転速度が所望の速度となるように駆動信号ＳＳＰを生成して、スピンドルモータ駆動部２１に供給する。
【００１９】
送り駆動部３９では、この送り制御信号ＳＳＣに基づき送りモータ４０を駆動して光ピックアップ３０を光ディスク１０の径方向に移動させる。なお、送り駆動部３９には、制御部５０から送り制御信号ＳＳＥが供給されて、この送り制御信号ＳＳＥによって光ディスク装置２０の動作開始時や動作終了時に送りモータ４０を駆動して、光ピックアップ３０を所定の位置に移動させることも行う。
【００２０】
制御部５０は、ホストインタフェース３５を介してコンピュータ装置等の外部機器（図示せず）との通信を行い、外部機器からのコマンドに応じて光ディスク装置２０の動作を制御するための制御信号ＣＳを生成して信号処理部３２やサーボ処理部３３に供給する。
【００２１】
ここで、データ記録時には、信号処理部３２から供給された情報ＡＲを利用して光ビームの照射位置を所望の位置に設定するとともに、光ビームの出力を記録パワーに設定する。このとき、光ビームの出力は上述したように記録データＷＤに応じて変調される。光ディスク１０の記録層は、光ビームの照射によって加熱されたとき、結晶構造が変化する物質を用いて構成されており、加熱による結晶構造の変化によってピットが形成される。また、光ビームの出力が記録データＷＤに応じて変調されていることから、ピットの有無やピットの長さは記録データＷＤに応じたものとなる。すなわち、記録データＷＤに応じたピットが形成されることとなる。データ消去時には、光ビームの照射位置を消去するデータの記録位置として、光ビームの出力を消去パワーに設定する。このとき、光ビームが照射された部分では、データの記録時に変化した結晶状態が元の状態に戻り、ピットがなくなってデータが消去される。データ再生時には、光ビームの照射位置を所望のデータ読み出し位置に設定するとともに、光ビームの出力を再生パワーに設定する。なお、再生パワーは、光ビームを照射しても結晶構造の変化が生じないレベルとされている。ここで、再生パワーとされた光ビームを光ディスク１０に照射したとき、光ディスク１０からの反射光の光量は、ピットの形成状態に応じて変化する。このため、反射光を利用して再生データＲＤを生成できる。
【００２２】
図２は、光ディスク例えばＤＶＤのフォーマット構成の一部を示している。縦方向はシステムレイヤ、横方向はＤＶＤファミリーである。システムレイヤは、物理レイヤの上位にファイルシステムレイヤ、ファイルシステムレイヤの上位にアプリケーションレイヤが設けられている。
【００２３】
物理レイヤは、光ディスクのセクタフォーマット・エラー訂正方式・変調方式等を規定するものである。なお、基本の信号記録フォーマットはファミリー内で統一されているが、現実には記録再生用と再生専用では全く同一となっておらず、機能に合わせた特有の構造となっている。すなわち記録用では、情報を記録する記録層があり、記録トラックを予め生成しておくものとしたり、記録するタイミングを設定するためのアドレスが予め記録される。しかしながら互換性は十分とれるシステムとなっている。
【００２４】
ファイルシステムレイヤは、ＤＶＤ−Ｖｉｄｅｏ／ＤＶＤ−Ａｕｄｉｏ／ＤＶＤ−ＲＯＭ／ＤＶＤ−Ｒで、ＵＤＦ（Ｕｎｉｖｅｒｓａｌ  Ｄｉｓｃ  Ｆｏｒｍａｔ）ブリッジフォーマットが採用されている。ＵＤＦは、記録再生両方を包含するＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）の規格であり、ＵＤＦブリッジはＵＤＦの再生部分を中心として取り出したサブセットとＩＳＯ９６６０を併記したものである。
【００２５】
ＵＤＦブリッジは、従来のＣＤ−ＲＯＭがファイルシステムレイヤとしてＩＳＯ９６６０を採用しているため、互換性を確保できるように採用されたものである。これらファイルシステムレイヤの上位に、映画などを記録するアプリケーションレイヤが規定されている。
【００２６】
ＤＶＤは、このような統一されたフォーマット構造を有するので、映像用でも音楽用でもコンピュータ用でも優れた互換性がある。例えばＤＶＤ−Ｖｉｄｅｏのディスクは、ＤＶＤプレーヤだけでなく、コンピュータ周辺機器のＤＶＤ−ＲＯＭドライブでも再生する事が出来るので、パソコン上で映画鑑賞もできる。
【００２７】
図３は、ＵＤＦブリッジのボリューム構造を例示している。光ディスク１０のデータエリアにおけるＬＳＮ（Ｌｏｇｉｃａｌ  Ｓｅｃｔｏｒ  Ｎｕｍｂｅｒ：論理セクタ番号）０〜１５，ＬＳＮ２１〜３１，ＬＳＮ６６〜２５５はリザーブ領域である。ＬＳＮ１６〜２０は、ＵＤＦブリッジの「ＵＤＦ  Ｂｒｉｄｇｅ  Ｖｏｌｕｍｅ  Ｒｅｃｏｇｎｉｔｉｏｎ  Ｓｅｑｕｅｎｃｅ（ＶＳＲ）：ボリューム認識列」であり、ＬＳＮ１６は「Ｐｒｉｍａｒｙ  Ｖｏｌｕｍｅ  Ｄｅｓｃｒｉｐｔｏｒ：基本ボリューム記述子」、ＬＳＮ１７は「Ｖｏｌｕｍｅ  Ｄｅｓｃｒｉｐｔｏｒ  Ｓｅｔ  Ｔｅｒｍｉｎａｔｏｒ：ボリューム記述子集合終端子」、ＬＳＮ１８は「Ｂｅｇｉｎｎｉｎｇ  Ｅｘｔｅｎｄｅｄ  Ａｒｅａ  Ｄｅｓｃｒｉｐｔｏｒ：拡張領域先頭記述子」、ＬＳＮ１９は「ＮＳＲ  Ｄｅｓｃｒｉｐｔｏｒ：ＮＳＲ記述子」、ＬＳＮ２０は「Ｔｅｒｍｉｎａｔｉｎｇ  Ｅｘｔｅｎｄｅｄ  Ａｒｅａ  Ｄｅｓｃｒｉｐｔｏｒ：拡張領域終端記述子」とされている。
【００２８】
ＬＳＮ１６の「Ｐｒｉｍａｒｙ  Ｖｏｌｕｍｅ  Ｄｅｓｃｒｉｐｔｏｒ」は、ＩＳＯ９６６０で規格化されているＣＤ−ＲＯＭの基本ボリューム記述子であり、ボリューム空間に関する記述が行われる。ＬＳＮ１７の「Ｖｏｌｕｍｅ  Ｄｅｓｃｒｉｐｔｏｒ  Ｓｅｔ  Ｔｅｒｍｉｎａｔｏｒ」は「Ｐｒｉｍａｒｙ  Ｖｏｌｕｍｅ  Ｄｅｓｃｒｉｐｔｏｒ」の終了を示すものである。ＬＳＮ１８の「Ｂｅｇｉｎｎｉｎｇ  Ｅｘｔｅｎｄｅｄ  Ａｒｅａ  Ｄｅｓｃｒｉｐｔｏｒ」は拡張領域の開始を示す記述子である。また、ＬＳＮ１９の「ＮＳＲ  Ｄｅｓｃｒｉｐｔｏｒ」は、ＩＳＯ／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）  １３４４の規格で示された記述子が設けられる。ＬＳＮ２０の「Ｔｅｒｍｉｎａｔｉｎｇ  Ｅｘｔｅｎｄｅｄ  Ａｒｅａ  Ｄｅｓｃｒｉｐｔｏｒ」は、拡張領域の終了を示す記述子である。
【００２９】
ＬＳＮ３２〜４７は、「Ｍａｉｎ  Ｖｏｌｕｍｅ  Ｄｅｓｃｒｉｐｔｏｒ  Ｓｅｑｕｅｎｃｅ：主ボリューム記述子列」であり、ＬＳＮ３２はＵＤＦ（Ｕｎｉｖｅｒｓａｌ  Ｄｉｓｋ  Ｆｏｒｍａｔ）規格での「Ｐｒｉｍａｒｙ  Ｖｏｌｕｍｅ  Ｄｅｓｃｒｉｐｔｏｒ：基本ボリューム記述子」、ＬＳＮ３３は「Ｉｍｐｌｅｍｅｎｔａｔｉｏｎ  Ｕｓｅ  Ｖｏｌｕｍｅ  Ｄｅｓｃｒｉｐｔｏｒ：処理システム用ボリューム記述子」、ＬＳＮ３４は「Ｐａｒｔｉｔｉｏｎ  Ｄｅｓｃｒｉｐｔｏｒ：区画記述子」、ＬＳＮ３５は「Ｌｏｇｉｃａｌ  Ｖｏｌｕｍｅ  Ｄｅｓｃｒｉｐｔｏｒ：論理ボリューム記述子」、ＬＳＮ３６は「Ｕｎａｌｌｏｃａｔｅｄ  Ｓｐａｃｅ  Ｄｅｓｃｒｉｐｔｏｒ：未割付け空間記述子」、ＬＳＮ３７は「Ｔｅｒｍｉｎａｔｉｎｇ  Ｄｅｓｃｒｉｐｔｏｒ：終端記述子」とされている。またＬＳＮ３８〜４７は「Ｔｒａｉｌｉｎｇ  Ｌｏｇｉｃａｌ  Ｓｅｃｔｏｒ：後続の論理セクタ」とされる。
【００３０】
ＬＳＮ４８〜６３は、「Ｒｅｓｅｒｖｅ  Ｖｏｌｕｍｅ  Ｄｅｓｃｒｉｐｔｏｒ  Ｓｅｑｕｅｎｃｅ：予備ボリューム記述子列」であり、この予備ボリューム記述子列は主ボリューム記述子列と等しいものとされて、主ボリューム記述子列の情報が読み出せないときのバックアップとして用いられる。
【００３１】
ＬＳＮ６４の「Ｌｏｇｉｃａｌ  Ｖｏｌｕｍｅ  Ｉｎｔｅｇｒｉｔｙ  Ｄｅｓｃｒｉｐｔｏｒ：論理ボリューム保全記述子」は、論理ボリュームに発生した各種障害情報を管理するための記述子であり、ＬＳＮ６５の「Ｔｅｒｍｉｎａｔｉｎｇ  Ｄｅｓｃｒｉｐｔｏｒ：終端記述子」は記述子の終了を示している。
【００３２】
ＬＳＮ２５６の「Ａｎｃｈｏｒ  Ｖｏｌｕｍｅ  Ｄｅｓｃｒｉｐｔｏｒ  Ｐｏｉｎｔｅｒ：開始ボリューム記述子ポインタ」は、主ボリューム記述子列の位置を示すものである。また、ＬＳＮ２５７以降では、目的のファイルに到達するためのパスが示された「Ｐａｔｈ  Ｔａｂｌｅ：パステーブル」や「Ｒｏｏｔ  Ｄｉｒｅｃｔｏｒｙ：ルートディレクトリ」等のＩＳＯ９６６０ファイル構造を示すものとされており、次にＵＤＦで規格化された情報、例えば「Ｆｉｌｅ  Ｓｅｔ  Ｄｅｓｃｒｉｐｔｏｒ：ファイル集合記述子」や「Ｆｉｌｅ  Ｅｎｔｒｙ：ファイルエントリ」のＵＤＦファイル構造が示される。その後の領域が、ＵＤＦ／ＩＳＯファイル格納領域とされてコンピュータデータや映像データ等が記録される。また、最後のＬＳＮは第２のアンカポイントとされている。この第２のアンカポイントはＬＳＮ２５６のアンカポイントと等しいものとされて、ＬＳＮ２５６のアンカポイントを読み出すことができないためのバックアップとして用いられる。なお、ＵＤＦファイル構造を示す論理セクタ番号ｐの位置からＵＤＦ論理ボリューム空間が割り当てられる。
【００３３】
図４は、ブリッジボリューム認識列の「Ｐｒｉｍａｒｙ  Ｖｏｌｕｍｅ  Ｄｅｓｃｒｉｐｔｏｒ」の構成の一部を示している。「Ｐｒｉｍａｒｙ  Ｖｏｌｕｍｅ  Ｄｅｓｃｒｉｐｔｏｒ」のバイトポジションＢＰ（Ｂｙｔｅ  Ｐｏｓｉｔｉｏｎ）０は「Ｖｏｌｕｍｅ  Ｄｅｓｃｒｉｐｔｏｒ  Ｔｙｐｅ：ボリューム記述子種別」であり、「Ｐｒｉｍａｒｙ  Ｖｏｌｕｍｅ  Ｄｅｓｃｒｉｐｔｏｒ」であることを示す８ビットの番号が指定される。
【００３４】
ＢＰ１から５バイト分は規格識別子「Ｓｔａｎｄａｒｄ  Ｉｄｅｎｔｉｆｉｅｒ：規格記述子」であり、例えばＩＳＯ９６６０の規格に対応していることが文字列”ＣＤ００１”によって示される。ＢＰ６は「Ｖｏｌｕｍｅ  Ｄｅｓｃｒｉｐｔｏｒ  Ｖｅｒｓｉｏｎ：ボリューム記述子版数」であり、「Ｐｒｉｍａｒｙ  Ｖｏｌｕｍｅ  Ｄｅｓｃｒｉｐｔｏｒ」のバージョン番号が示される。
【００３５】
ＢＰ７は未使用領域、ＢＰ８から３２バイト分は「Ｓｙｓｔｅｍ  Ｉｄｅｎｔｉｆｉｅｒ：システム識別子」である。「Ｓｙｓｔｅｍ  Ｉｄｅｎｔｉｆｉｅｒ」は、ＬＳＮ０〜１５までの論理セクタの内容を認識し、処理することができるシステムの識別情報を指定するものである。
【００３６】
ＢＰ４０から３２バイト分の「Ｖｏｌｕｍｅ  Ｉｄｅｎｔｉｆｉｅｒ：ボリューム識別子」は、ボリュームの識別情報を示すものであり、ＢＰ７２から８バイト分は未使用領域である。ＢＰ８０から８バイト分の「Ｖｏｌｕｍｅ  Ｓｐａｃｅ  Ｓｉｚｅ：ボリューム空間の大きさ」は、ボリューム空間に記録している論理セクタの数が示される。また、ＢＰ８８から３２バイト分は未使用領域である。
【００３７】
ＢＰ１２０から４バイト分は「Ｖｏｌｕｍｅ  Ｓｅｔ  Ｓｉｚｅ：ボリューム集合の大きさ」、ＢＰ１２４から４バイト分は「Ｖｏｌｕｍｅ  Ｓｅｑｕｅｎｃｅ  Ｎｕｍｂｅｒ：ボリューム順序番号」であり、例えばＤＶＤ再生専用ディスクは単一ボリュームであることから、それぞれ「１」となる。また、ＢＰ１２８から４バイト分は「Ｌｏｇｉｃａｌ  Ｂｌｏｃｋ  Ｓｉｚｅ：論理ブロックの大きさ」である。
【００３８】
ＢＰ１３２から８バイト分の「Ｐａｔｈ  Ｔａｂｌｅ  Ｓｉｚｅ：パステーブルの大きさ」は、ディレクトリ階層に関する記述が行われたパステーブルの大きさを示しており、ＢＰ１４０から４バイト分の「Ｌｏｃａｔｉｏｎ  ｏｆ  Ｏｃｃｕｒｒｅｎｃｅ  ｏｆ  Ｔｙｐｅ  Ｌ  Ｐａｔｈ  Ｔａｂｌｅ：Ｌ形パステーブルの位置」はＬ形パステーブルの記録位置情報であり、Ｌ形パステーブルを含むエクステントに割り振られた最初の論理セクタ番号が示される。また、ＢＰ１４４から４バイト分の「Ｌｏｃａｔｉｏｎ  ｏｆ  Ｏｐｔｉｏｎａｌ  Ｏｃｃｕｒｒｅｎｃｅ  ｏｆ  Ｔｙｐｅ  Ｌ  Ｐａｔｈ  Ｔａｂｌｅ：任意Ｌ形パステーブルの位置」は任意Ｌ形パステーブルの記録位置情報であり、任意Ｌ形パステーブルを含むエクステントに割り振られた最初の論理セクタ番号が示される。なお、「Ｌｏｃａｔｉｏｎ  ｏｆ  Ｏｃｃｕｒｒｅｎｃｅ  ｏｆ  Ｔｙｐｅ  Ｌ  Ｐａｔｈ  Ｔａｂｌｅ」と「Ｌｏｃａｔｉｏｎ  ｏｆ  Ｏｐｔｉｏｎａｌ  Ｏｃｃｕｒｒｅｎｃｅ  ｏｆ  Ｔｙｐｅ  Ｌ  Ｐａｔｈ  Ｔａｂｌｅ」では、パステーブルのレコード内の複数バイト数値は、リトルエンディアン（ｌｉｔｔｌｅ  ｅｎｄｉａｎ）表記で行われる。
【００３９】
ＢＰ１４８から４バイト分の「Ｌｏｃａｔｉｏｎ  ｏｆ  Ｏｃｃｕｒｒｅｎｃｅ  ｏｆ  Ｔｙｐｅ  Ｍ  Ｐａｔｈ  Ｔａｂｌｅ：Ｍ形パステーブルの位置」はＭ形パステーブルの記録位置情報であり、Ｍ形パステーブルを含むエクステントに割り振られた最初の論理セクタ番号が示される。また、ＢＰ１５２から４バイト分の「Ｌｏｃａｔｉｏｎ  ｏｆ  Ｏｐｔｉｏｎａｌ  Ｏｃｃｕｒｒｅｎｃｅ  ｏｆ  Ｔｙｐｅ  Ｍ  Ｐａｔｈ  Ｔａｂｌｅ：任意Ｍ形パステーブルの位置」は任意Ｍ形パステーブルの記録位置情報であり、任意Ｍ形パステーブルを含むエクステントに割り振られた最初の論理セクタ番号が示される。なお、「Ｌｏｃａｔｉｏｎ  ｏｆ  Ｏｃｃｕｒｒｅｎｃｅ  ｏｆ  Ｔｙｐｅ  Ｍ  Ｐａｔｈ  Ｔａｂｌｅ」と「Ｌｏｃａｔｉｏｎ  ｏｆ  Ｏｐｔｉｏｎａｌ  Ｏｃｃｕｒｒｅｎｃｅ  ｏｆ  Ｔｙｐｅ  Ｍ  Ｐａｔｈ  Ｔａｂｌｅ」では、パステーブルのレコード内における複数バイトの数値が、ビッグエンディアン（ｂｉｇ  ｅｎｄｉａｎ）表記で行われる。
【００４０】
図５は、パステーブル内の「Ｐａｔｈ  Ｔａｂｌｅ  Ｒｅｃｏｒｄ：パステーブルレコード」の構成を示している。ＲＢＰ０（ＲＢＰはレコード内のバイト位置を示す）は「Ｌｅｎｇｔｈ  ｏｆ  Ｄｉｒｅｃｔｏｒｙ  Ｉｄｅｎｔｉｆｉｅｒ（ＬＥＮ＿ＤＩ）：ディレクトリ識別子の長さ」であり、「Ｐａｔｈ  Ｔａｂｌｅ  Ｒｅｃｏｒｄ」のディレクトリ識別子欄のバイト数を指定する。ＲＢＰ１は「Ｅｘｔｅｎｄｅｄ  Ａｔｔｒｉｂｕｔｅ  Ｒｅｃｏｒｄ  Ｌｅｎｇｔｈ：拡張属性レコードの長さ」である。ＲＢＰ２から４バイト分は「Ｌｏｃａｔｉｏｎ  ｏｆ  Ｅｘｔｅｎｔ：エクステントの位置」であり、ディレクトリが記録されているエクステントに割り付けられた最初の論理ブロックの論理ブロック番号を指定する。ＲＢＰ６から２バイト分は「Ｐａｒｅｎｔ  Ｄｉｒｅｃｔｏｒｙ  Ｎｕｍｂｅｒ：親ディレクトリの番号」であり、ディレクトリの親ディレクトリに対するレコード番号を指定する。ＲＢＰ８から（ＬＥＮ＿ＤＩ）分は「Ｄｉｒｅｃｔｏｒｙ  Ｉｄｅｎｔｉｆｉｅｒ：ディレクトリ識別子」であり、ディレクトリに対する識別情報を指定する。ＲＢＰａ（ａ＝８＋ＬＥＮ＿ＤＩ）からｂバイト分は「Ｐａｄｄｉｎｇ  Ｆｉｅｌｄ：埋め込み」であり、ディレクトリ識別子が奇数の場合だけ設けられる。
【００４１】
図６は、図２に示したアプリケーションレイヤの構成を示しており、映像のデータは「ＶＩＤＥＯ＿ＴＳ」のディレクトリ、音声のデータは「ＡＵＤＩＯ＿ＴＳ」のディレクトリ、コンピュータデータは映像や音声とは異なるコンピュータデータのディレクトリにそれぞれ格納される。なお、拡張子が「ＩＦＯ」のディレクトリは、再生制御情報に関するものである。また、拡張子「ＶＯＤ」は映像のデータに関するものであり、拡張子「ＡＯＤ」は音声のデータに関するものである。また、拡張子「ＢＵＰ」はバックアップ用のものである。
【００４２】
ここで、例えばＤＶＤ−Ｖｉｄｅｏ形式で記録された光ディスクには、「ＶＩＤＥＯ＿ＴＳ」のディレクトリが必ず存在し、「Ｐａｔｈ  Ｔａｂｌｅ  Ｒｅｃｏｒｄ」の「Ｄｉｒｅｃｔｏｒｙ  Ｉｄｅｎｔｉｆｉｅｒ」には、映像のデータのディレクトリを示すディレクトリ識別子”ＶＩＤＥＯ＿ＴＳ”が設定される。このため、光ディスク装置２０では、ボリューム空間に関する記述が行われた「Ｐｒｉｍａｒｙ  Ｖｏｌｕｍｅ  Ｄｅｓｃｒｉｐｔｏｒ」を光ディスク１０から読み出して、ディレクトリ階層に関する記述が行われた「Ｐａｔｈ  Ｔａｂｌｅ」の記録位置情報を取得する。さらに、この記録位置情報に基づいて、「Ｐａｔｈ  Ｔａｂｌｅ」を読み出し、映像や音声のディレクトリを示すディレクトリ識別子が含まれている否かに基づいて光ディスクの判別を行う。
【００４３】
図７は、光ディスク判別動作を示すフローチャートである。ステップＳＴ１では、ホストインタフェース３５を介して接続された外部機器から、光ディスクに記録された信号の読み出し要求がなされたか否かを判別する。ここで、読み出し要求がなされたときにはステップＳＴ２に進む。また、読み出し要求がなされていないときは、光ディスク判別動作を終了する。
【００４４】
ステップＳＴ２では、読み出し要求が、ＬＳＮ１６の読み出しであるか否かを判別する。このＬＳＮ１６は、上述したようにボリューム認識列におけるボリューム空間に関する記述が行われた情報が記録される論理セクタであり、このＬＳＮ１６の読み出しであるときはステップＳＴ３に進む。また、ＬＳＮ１６の読み出しでないときはステップＳＴ８に進む。
【００４５】
ステップＳＴ３では、ＬＳＮ１６の読み出しを行ってステップＳＴ４に進む。ステップＳＴ４では、ＢＰ１〜５の「Ｓｔａｎｄａｒｄ  Ｉｄｅｎｔｉｆｉｅｒ」が所定の規格識別子を示しているか否かを判別する。ここで所定の規格識別子を示しているときにはステップＳＴ５に進む。また、所定の規格識別子が含まれていないときはステップＳＴ７に進む。例えば、ＬＳＮ１６の読み出しを行って得られた情報が図８に示すものであったとき、ＢＰ１〜５の「Ｓｔａｎｄａｒｄ  Ｉｄｅｎｔｉｆｉｅｒ」は「４３  ４４  ３０  ３０  ３１（＝ＣＤ００１）」で、ＩＳＯ９６６０の規格に対応していることを示す所定の規格識別子であることからステップＳＴ５に進む。また、規格識別子が文字列”ＣＤ００１”でないときにはステップＳＴ７に進む。
【００４６】
ステップＳＴ５では、読み出したＬＳＮ１６の情報が「Ｐｒｉｍａｒｙ  Ｖｏｌｕｍｅ  Ｄｅｓｃｒｉｐｔｏｒ」であるとしてステップＳＴ６に進む。ステップＳＴ６では読み出した情報からパステーブルの記録位置情報を取得してステップＳＴ８に進む。
【００４７】
ステップＳＴ７では、読み出したＬＳＮ１６の情報に、所定の規格識別子が含まれていないことから、読み出した情報は「Ｐｒｉｍａｒｙ  Ｖｏｌｕｍｅ  Ｄｅｓｃｒｉｐｔｏｒ」でないものとする。すなわち、読み出したＬＳＮ１６の情報からパステーブルの記録位置情報を取得できないものとして光ディスク判別動作を終了する。
【００４８】
ステップＳＴ８では、パステーブルの記録位置情報が取得されているか否かを判別する。ここで、パステーブルの記録位置情報が取得されているときにはステップＳＴ９に進む。また、パステーブルの記録位置情報が取得されていないときは、パステーブルを読み出すことができないことから、光ディスク判別動作を終了する。
【００４９】
ステップＳＴ９では、パステーブルの読み出し要求がなされたか否かを判別する。ここでパステーブルの読み出し要求がなされたときはステップＳＴ１０に進み、パステーブルの読み出し要求が所定時間なされないときは、光ディスク判別動作を終了する。
【００５０】
ステップＳＴ１０では、取得されている記録位置情報を用いてパステーブルの読み出しを行いステップＳＴ１１に進む。ここで、ＬＳＮ１６の読み出しを行って得られた情報が図８に示すものであったとき、ＢＰ１４０から４バイト分の「Ｌｏｃａｔｉｏｎ  ｏｆ  Ｏｃｃｕｒｒｅｎｃｅ  ｏｆ  Ｔｙｐｅ  Ｌ  Ｐａｔｈ  Ｔａｂｌｅ」は「０１  ０１  ００  ００」である。この「Ｌｏｃａｔｉｏｎ  ｏｆ  Ｏｃｃｕｒｒｅｎｃｅ  ｏｆ  Ｔｙｐｅ  Ｌ  Ｐａｔｈ  Ｔａｂｌｅ」で示されるパステーブルはリトルエンディアン表記であるから、パステーブルのアドレスは「０００００１０１」となる。また、ＢＰ１４８から４バイト分の「Ｌｏｃａｔｉｏｎ  ｏｆ  Ｏｃｃｕｒｒｅｎｃｅ  ｏｆ  Ｔｙｐｅ  Ｍ  Ｐａｔｈ  Ｔａｂｌｅ」は「００  ００  ０１  ０２」である。この「Ｌｏｃａｔｉｏｎ  ｏｆ  Ｏｃｃｕｒｒｅｎｃｅ  ｏｆ  Ｔｙｐｅ  Ｍ  Ｐａｔｈ  Ｔａｂｌｅ」で示されるパステーブルは、ビッグエンディアン表記であるからあることから、パステーブルのアドレスは、「０００００１０２」となる。
【００５１】
ステップＳＴ１１では、読み出したパステーブルの情報に所定のディレクトリ識別子が含まれている否かを判別する。ここで、所定のディレクトリ識別子、例えば映像や音声のディレクトリを示すディレクトリ識別子が検出されたときには、ステップＳＴ１２に進み、映像や音声を記録した形式の光ディスクと判別して光ディスク判別動作を終了する。また、映像や音声のディレクトリを示すディレクトリ識別子が検出されないときにはステップＳＴ１３に進み、映像や音声を記録した形式でない光ディスクと判別して、光ディスク判別動作を終了する。
【００５２】
ここで、上述のステップＳＴ１０でパステーブルの読み出しを行い、アドレス「０００００１０２」から読み出したパステーブルの情報が図９に示すものであったとき、ディレクトリ識別子を示す「Ｄｉｒｅｃｔｏｒｙ  Ｉｄｅｎｔｉｆｉｅｒ」は、最初のレコードで「００」、２番目のレコードで「５６  ４９  ４４  ４５  ４ｆ  ５ｆ  ５４  ５３（＝ＶＩＤＥＯ＿ＴＳ）」となっている。すなわち、映像のディレクトリを示すディレクトリ識別子”ＶＩＤＥＯ＿ＴＳ”が示されていることからＤＶＤ−Ｖｉｄｅｏ形式の光ディスクであると判別する。また、ディレクトリ識別子”ＡＵＤＩＯ＿ＴＳ”のみが検出されたときは、ＤＶＤ−Ａｕｄｉｏ形式の光ディスクであると判別する。さらに、ディレクトリ識別子”ＶＩＤＥＯ＿ＴＳ”，”ＡＵＤＩＯ＿ＴＳ”が検出されないときは、映像や音声を記録した形式の光ディスクでないと判別する。
【００５３】
このように、光ディスク１０からボリューム認識列におけるボリューム空間に関する記述が行われた基本ボリューム記述子を読み出して、ディレクトリ階層に関する記述が行われたパステーブルの記録位置情報を取得し、この記録位置情報に基づいて読み出したパステーブルに、映像や音声のデータが記録されていることを示すディレクトリ識別子が含まれている否かに基づいて光ディスクの判別を行う。ここで、ボリューム認識列の情報は必ず読み出される情報であることから、パステーブルの記録位置が異なる光ディスクを用いた場合であっても、パステーブルの記録位置を判別できる。すなわち、パステーブルを読み出して光ディスクの判別が可能となり、光ディスクの判別能力を高めることができる。また、ボリューム認識列の情報を読み出したときに光ディスクの判別を同時に行うことができる。なお、光ディスクの判別は、コンピュータ装置からの読み出し要求に応じて実施する場合に限られるものでなく、例えば光ディスク１０が光ディスク装置２０に装着されたとき自動的に行うものとしても良い。
【００５４】
このようにして、光ディスク装置２０は光ディスクの判別を行い、この判別結果に基づいて再生動作を制御する。図１０は、光ディスクの再生動作を示すフローチャートである。ステップＳＴ２１では、映像や音声を記録した形式の光ディスクであるか否かを判別する。ここで、上述の光ディスクの判別動作によって、映像や音声を記録した形式の光ディスクであると判別されたときにはステップＳＴ２２に進む。また、映像や音声を記録した形式の光ディスクであると判別されないときにはステップＳＴ２４に進む。
【００５５】
ステップＳＴ２２では、静音化を重視した再生動作を行うものとする。この再生動作では、映像や音声の途切れが生じない範囲で読み出し速度を遅くすることで光ディスクの回転速度を低下させて、光ディスクの回転によって生ずる動作音を低減させてステップＳＴ２３に進む。
【００５６】
ステップＳＴ２３では、光ディスクからデータの一部を正しく読み出すことができないとき、リアルタイム再生を重視した応答処理を行うものとする。この応答処理では、映像や音声の再生中に光ディスクからデータの一部を正しく読み出すことができなくとも、映像や音声の途切れを生ずることがないよう再生動作を継続させる。
【００５７】
ステップＳＴ２１からステップＳＴ２４に進むと、ステップＳＴ２４では、読取速度を重視した再生動作を行うものとする。この再生動作では、光ディスクに記録されたデータを短時間で読み出すことができるように読み出し速度を速くする。すなわち、光ディスクの回転速度を高く設定してステップＳＴ２５に進む。
【００５８】
ステップＳＴ２５では、正確さを重視した応答処理を行うものとする。この応答処理では、正しくデータを読み出すことができなかった場合にリトライ動作を行い、データの読み出しを繰り返す。また、リトライ動作では、データを正しく読み出すことが可能となるように回転速度や読み出し条件を変更する。例えば光ディスクの回転速度を低下させるものとしたり、データの読み出しに失敗した位置よりも手前からデータの読み出しを行うように設定する。
【００５９】
このように、光ディスクの判別結果に応じて光ディスクの再生動作を制御する。また、映像や音声を記録した形式の光ディスクと判別されたときには、静音化だけでなく低消費電力化をはかることができるように再生動作を切り替えるものとしても良い。例えば、静音化を最も重視するときには、ＣＬＶ（Ｃｏｎｓｔａｎｔ  Ｌｉｎｅｒ  Ｖｅｌｏｃｉｔｙ）方式で光ディスク１０を駆動する。この場合、線速度一定で光ディスク１０が回転されることから内周側に比べ外周側では回転速度が遅くなるので、動作音を小さくできる。また、静音化だけでなく低消費電力化をはかるときには、ＣＡＶ（Ｃｏｎｓｔａｎｔ  Ａｎｇｕｌａｒ  Ｖｅｌｏｃｉｔｙ）方式で光ディスクを駆動する。この場合、角速度一定で光ディスク１０が回転されることから、スピンドルモータ２２の負荷が小さくなり消費電力を少なくできる。なお、回転駆動方式はＣＬＶ方式やＣＡＶ方式に限られるものではなく、ＺＣＬＶ（ＺｏｎｅＣＬＶ）方式やＺＣＡＶ（ＺｏｎｅＣＡＶ）方式等を用いるものとしても良い。このように、消費電力の異なる複数の再生動作を切り替え可能とすることで、静音化を最も重視した再生動作や、静音化だけでなく低消費電力での再生動作を行うことができる。
【００６０】
さらに、光ディスクの判別結果に基づいて先読みするデータのデータ量を切り替えることもできる。すなわち、映像や音声を記録した形式の光ディスクでは、記録されているデータをシーケンシャルに読み出すことが多い。このため、先読みするデータのデータ量を大きくすることで、読み出したデータの処理を効率よく行うことができると共に、映像や音声の途切れを防止することができる。また、映像や音声を記録した形式の光ディスクでないとき、例えばコンピュータ・データ等が記録されているとき、記録されているデータをランダムに読み出すものとすると、シーケンシャルに先読みしたデータが無効となってしまう。このため先読みするデータのデータ量を少ないものとすることで、不要なデータを読み出すことなく効率よくデータの読み出しを行うことができる。
【００６１】
このように、光ディスクの判別結果に応じて再生動作を制御することにより、光ディスクに記録されている情報に適した再生動作を行うことができる。
【００６２】
【発明の効果】
この発明によれば、光ディスクからボリューム認識列におけるボリューム空間に関する記述が行われた第１の情報の読み出しが行われて、ディレクトリ階層に関する記述が行われた第２の情報の記録位置情報が取得される。この記録位置情報に基づいて読み出した第２の情報に、所定のディレクトリ識別子が含まれている否かに基づいて光ディスクの判別が行われる。このため、所定のディレクトリ識別子が含まれる第２の情報の記録位置が変更されても判別が可能となり、光ディスクの判別能力を高めることができる。
【００６３】
また、光ディスクの判別結果に応じて光ディスクの再生動作が制御されるので、光ディスクに記録されている情報に適した再生動作を行うことができる。ここで、光ディスクからの情報の読み出し速度が判別結果に応じて切り替えられるので、静音化を重視した再生動作や読取速度を重視した再生動作を行うことができる。また、光ディスクに記録されている情報を読み出すことができないときの応答処理が判別結果に基づいて切り替えられるので、リアルタイム再生を重視した応答処理や正確さを重視した応答処理を行うことができる。さらに、映像および／または音声を記録した形式の光ディスクと判別したとき、消費電力が異なる複数の再生動作を切り替え可能とすることで、静音化を最も重視した再生動作や静音化と低消費電力化をはかった再生動作を行うことができる。
【図面の簡単な説明】
【図１】光ディスク装置の構成を示す図である。
【図２】ＤＶＤのフォーマット構成を示す図である。
【図３】ボリューム構造を示す図である。
【図４】「Ｐｒｉｍａｒｙ  Ｖｏｌｕｍｅ  Ｄｅｓｃｒｉｐｔｏｒ」の構成の一部を示す図である。
【図５】パステーブルレコードの構成を示す図である。
【図６】アプリケーションレイヤの構成を示す図である。
【図７】光ディスク判別動作を示すフローチャートである。
【図８】ＬＳＮ１６の情報の一例を示す図である。
【図９】パステーブルの情報の一例を示す図である。
【図１０】光ディスク再生動作を示すフローチャートである。
【符号の説明】
１０・・・光ディスク、２０・・・光ディスク装置、２１・・・スピンドルモータ駆動部、２２・・・スピンドルモータ、３０・・・光ピックアップ、３１・・・ＲＦアンプ、３２・・・信号処理部、３３・・・サーボ処理部、３４・・・メモリ部、３５・・・ホストインタフェース、３６・・・信号変調部、３７・・・光ビーム変調部、３８・・・ドライバ、３９・・・送り駆動部、４０・・・送りモータ、５０・・・制御部
【図１】
2004348903.tif 000003
【図２】
2004348903.tif 000004
【図３】
2004348903.tif 000005
【図４】
2004348903.tif 000006
【図５】
2004348903.tif 000007
【図６】
2004348903.tif 000008
【図７】
2004348903.tif 000009
【図８】
2004348903.tif 000010
【図９】
2004348903.tif 000011
【図１０】
2004348903.tif 000012